【手続補正書】
【提出日】平成28年12月12日(2016.12.12)
【手続補正１】
【補正対象書類名】特許請求の範囲
【補正対象項目名】全文
【補正方法】変更
【補正の内容】
【特許請求の範囲】
【請求項１】
ビデオデータを復号するための方法であって、
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号することと、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵの前記ＣＰＢ除去時間を決定することと、
前記ＣＰＢ除去時間に、前記ＣＰＢから前記第１のＤＵに関連付けられたビデオデータを除去し、前記第１のＤＵに関連付けられた前記ビデオデータを復号することとを備え、
前記第２のＤＵは、復号順序において、前記ＡＵ中の前記第１のＤＵの直後である方法。
【請求項２】
１つまたは複数のサブピクチャレベルＣＰＢパラメータを復号することをさらに備え、前記第１のＤＵの前記ＣＰＢ除去時間を決定することは、前記復号された持続時間および前記１つまたは複数のサブピクチャレベルＣＰＢパラメータに少なくとも部分的に基づいて、前記第１のＤＵの前記ＣＰＢ除去時間を決定することを備える、請求項１に記載の方法。
【請求項３】
１つまたは複数のサブピクチャレベルＣＰＢパラメータを復号することは、
前記第１のＤＵに関連付けられたサブピクチャタイミングサプルメンタルエンハンスメント(supplemental enhancement)情報（ＳＥＩ）メッセージを復号することを備える、請求項２に記載の方法。
【請求項４】
ピクチャタイミングＳＥＩメッセージ中またはサブピクチャタイミングＳＥＩメッセージ中のどちらかでの前記１つまたは複数のサブピクチャレベルＣＰＢパラメータの存在を示すシーケンスレベルフラグを復号することをさらに備える、請求項２に記載の方法。
【請求項５】
前記ＡＵは、０に等しいＴｅｍｐｏｒａｌＩｄを有し、前記方法は、
前記ＡＵに関連付けられた、バッファリング期間サプルメンタルエンハンスメント情報（ＳＥＩ）メッセージまたはリカバリポイントＳＥＩメッセージのうち少なくとも１つを復号することをさらに備える、請求項１に記載の方法。
【請求項６】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１に記載の方法。
【請求項７】
前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出することをさらに備える、請求項１に記載の方法。
【請求項８】
１つまたは複数のピクチャレベルＣＰＢパラメータを復号することをさらに備え、前記第１のＤＵの前記ＣＰＢ除去時間を決定することは、前記復号された持続時間および前記１つまたは複数のピクチャレベルＣＰＢパラメータに少なくとも部分的に基づいて、前記第１のＤＵの前記ＣＰＢ除去時間を決定することを備える、請求項１に記載の方法。
【請求項９】
１つまたは複数のピクチャレベルＣＰＢパラメータを復号することは、
前記第１のＤＵに関連付けられたピクチャタイミングサプルメンタルエンハンスメント情報（ＳＥＩ）メッセージを復号することを備える、請求項８に記載の方法。
【請求項１０】
コード化ピクチャバッファ（ＣＰＢ）を含むメモリと、
ビデオデコーダとを備え、前記ビデオデコーダは、
アクセスユニット（ＡＵ）中の第１の復号ユニット（ＤＵ）のＣＰＢ除去時間と第２のＤＵのＣＰＢ除去時間との間の持続時間を復号し、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵのＣＰＢ除去時間を決定し、
前記ＣＰＢ除去時間に、前記ＣＰＢから前記第１のＤＵに関連付けられたビデオデータを除去し、前記第１のＤＵに関連付けられた前記ビデオデータを復号するように構成され、
前記第２のＤＵは、復号順序において、前記ＡＵ中の前記第１のＤＵの直後であるビデオ復号デバイス。
【請求項１１】
前記ビデオデコーダは、１つまたは複数のサブピクチャレベルＣＰＢパラメータを復号するようにさらに構成され、前記ビデオデコーダは、前記第１のＤＵの前記ＣＰＢ除去時間を決定することの一部として、前記ビデオデコーダが前記復号された持続時間および前記１つまたは複数のサブピクチャレベルＣＰＢパラメータに少なくとも部分的に基づいて、前記第１のＤＵの前記ＣＰＢ除去時間を決定するように構成される、請求項１０に記載のビデオ復号デバイス。
【請求項１２】
前記ビデオデコーダは、前記第１のＤＵに関連付けられたサブピクチャタイミングサプルメンタルエンハンスメント(supplemental enhancement)情報（ＳＥＩ）メッセージを復号することによって、前記１つまたは複数のサブピクチャレベルＣＰＢパラメータを復号するようにさらに構成される、請求項１１に記載のビデオ復号デバイス。
【請求項１３】
前記ビデオデコーダは、ピクチャタイミングＳＥＩメッセージ中またはサブピクチャタイミングＳＥＩメッセージ中のどちらかでの前記１つまたは複数のサブピクチャレベルＣＰＢパラメータの存在を示すシーケンスレベルフラグを復号するようにさらに構成される、請求項１１に記載のビデオ復号デバイス。
【請求項１４】
前記ＡＵは、０に等しいＴｅｍｐｏｒａｌＩｄを有し、前記ビデオデコーダは、前記ＡＵに関連付けられた、バッファリング期間サプルメンタルエンハンスメント情報（ＳＥＩ）メッセージまたはリカバリポイントＳＥＩメッセージのうち少なくとも１つを復号するようにさらに構成される、請求項１０に記載のビデオ復号デバイス。
【請求項１５】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項１０に記載のビデオ復号デバイス。
【請求項１６】
前記ビデオデコーダは、前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出するようにさらに構成される、請求項１０に記載のビデオ復号デバイス。
【請求項１７】
前記ビデオデコーダは、１つまたは複数のピクチャレベルＣＰＢパラメータを復号するようにさらに構成され、前記ビデオデコーダは、前記第１のＤＵの前記ＣＰＢ除去時間を決定することの一部として、前記ビデオデコーダが前記復号された持続時間および前記１つまたは複数のピクチャレベルＣＰＢパラメータに少なくとも部分的に基づいて、前記第１のＤＵの前記ＣＰＢ除去時間を決定するように構成される、請求項１０に記載のビデオ復号デバイス。
【請求項１８】
前記ビデオデコーダは、前記第１のＤＵに関連付けられたピクチャタイミングサプルメンタルエンハンスメント情報（ＳＥＩ）メッセージを復号することによって、前記１つまたは複数のピクチャレベルＣＰＢパラメータを復号するようにさらに構成される、請求項１７に記載のビデオ復号デバイス。
【請求項１９】
命令を記憶した非一時的コンピュータ可読記憶媒体であって、前記命令は、実行されると、ビデオデータを復号するためのデバイスのプロセッサに、
アクセスユニット（ＡＵ）中の第１の復号ユニット（ＤＵ）のコード化ピクチャバッファ（ＣＰＢ）除去時間と第２のＤＵのＣＰＢ除去時間との間の持続時間を復号させ、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵの前記ＣＰＢ除去時間を決定させ、
前記ＣＰＢ除去時間に、前記ＣＰＢから前記第１のＤＵに関連付けられたビデオデータを除去し、前記第１のＤＵに関連付けられた前記ビデオデータを復号させ、
前記第２のＤＵは、復号順序において、前記ＡＵ中の前記第１のＤＵの直後である非一時的コンピュータ可読記憶媒体。
【請求項２０】
前記命令はさらに、前記プロセッサに、１つまたは複数のサブピクチャレベルＣＰＢパラメータを復号させ、ここにおいて、前記プロセッサに、前記第１のＤＵの前記ＣＰＢ除去時間を決定させることの一部として、前記命令は、前記プロセッサに、前記復号された持続時間および前記１つまたは複数のサブピクチャレベルＣＰＢパラメータに少なくとも部分的に基づいて、前記第１のＤＵの前記ＣＰＢ除去時間を決定させる、請求項１９に記載の非一時的コンピュータ可読記憶媒体。
【請求項２１】
前記命令はさらに、前記プロセッサに、１つまたは複数のピクチャレベルＣＰＢパラメータを復号させ、ここにおいて、前記プロセッサに、前記第１のＤＵの前記除去時間を決定させることの一部として、前記命令は、前記プロセッサに、前記復号された持続時間および前記１つまたは複数のピクチャレベルＣＰＢパラメータに少なくとも部分的に基づいて、前記第１のＤＵの前記ＣＰＢ除去時間を決定させる、請求項１９に記載の非一時的コンピュータ可読記憶媒体。
【請求項２２】
コード化ピクチャバッファ（ＣＰＢ）を記憶するための手段と、
アクセスユニット（ＡＵ）中の第１の復号ユニット（ＤＵ）のＣＰＢ除去時間と第２のＤＵのＣＰＢ除去時間との間の持続時間を復号するための手段と、ここにおいて、前記第２のＤＵは復号順序において、前記第１のＤＵの後であり、前記第１のＤＵと同じＡＵ中にある、
前記復号された持続時間に少なくとも部分的に基づいて、前記第１のＤＵの前記ＣＰＢ除去時間を決定するための手段と、
前記ＣＰＢ除去時間に、前記ＣＰＢから前記第１のＤＵに関連付けられたビデオデータを除去し、前記第１のＤＵに関連付けられた前記ビデオデータを復号するための手段とを備え、
前記第２のＤＵは、復号順序において、前記ＡＵ中の前記第１のＤＵの直後であるビデオ復号デバイス。
【請求項２３】
１つまたは複数のピクチャレベルＣＰＢパラメータを復号するための手段をさらに備え、前記第１のＤＵの前記ＣＰＢ除去時間を決定するための手段は、前記復号された持続時間および前記１つまたは複数のピクチャレベルＣＰＢパラメータに少なくとも部分的に基づいて、前記第１のＤＵの前記ＣＰＢ除去時間を決定するための手段を備える、請求項２２に記載のビデオ復号デバイス。
【請求項２４】
ビデオデータを符号化するための方法であって、
第１の復号ユニット（ＤＵ）を含むアクセスユニット（ＡＵ）について、第２のＤＵのコード化ピクチャバッファ（ＣＰＢ）除去時間を決定することと、ここにおいて、前記第２のＤＵは、復号順序において、前記第１のＤＵの後であり、前記第１のＤＵと同じＡＵ中にある、
前記第１のＤＵのＣＰＢ除去時間と前記第２のＤＵの前記決定されたＣＰＢ除去時間との間の持続時間を決定することと、
前記決定された持続時間を符号化することと、ここにおいて、前記第２のＤＵは、復号順序において、前記ＡＵ中の前記第１のＤＵの直後である、を備える方法。
【請求項２５】
前記決定された持続時間を符号化することは、前記決定された持続時間を、１つまたは複数のサブピクチャレベルＣＰＢパラメータとして符号化することを含む、請求項２４に記載の方法。
【請求項２６】
１つまたは複数のサブピクチャレベルＣＰＢパラメータを符号化することは、
前記第１のＤＵに関連付けられたサブピクチャタイミングサプルメンタルエンハンスメント(supplemental enhancement)情報（ＳＥＩ）メッセージを符号化することを備える、請求項２５に記載の方法。
【請求項２７】
ピクチャタイミングＳＥＩメッセージ中またはサブピクチャタイミングＳＥＩメッセージ中のどちらかでの前記１つまたは複数のサブピクチャレベルＣＰＢパラメータの存在を示すためのシーケンスレベルフラグを符号化することをさらに備える、請求項２５に記載の方法。
【請求項２８】
前記ＡＵは、０以下のＴｅｍｐｏｒａｌＩｄを有し、前記方法は、
前記ＡＵに関連付けられた、バッファリング期間サプルメンタルエンハンスメント情報（ＳＥＩ）メッセージまたはリカバリポイントＳＥＩメッセージのうち少なくとも１つを符号化することをさらに備える、請求項２４に記載の方法。
【請求項２９】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項２４に記載の方法。
【請求項３０】
前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出することをさらに備える、請求項２４に記載の方法。
【請求項３１】
前記決定された持続時間を符号化することは、前記決定された持続時間を、１つまたは複数のピクチャレベルＣＰＢパラメータとして符号化することを含む、請求項２４に記載の方法。
【請求項３２】
前記１つまたは複数のサブピクチャレベルＣＰＢパラメータを符号化することは、
前記第１のＤＵに関連付けられたピクチャタイミングサプルメンタルエンハンスメント情報（ＳＥＩ）メッセージを符号化することを備える、請求項３１に記載の方法。
【請求項３３】
コード化ピクチャバッファ（ＣＰＢ）を含むメモリと、
ビデオエンコーダとを備え、前記ビデオエンコーダは、
第１の復号ユニット（ＤＵ）を含むアクセスユニット（ＡＵ）について、第２のＤＵのＣＰＢ除去時間を決定し、ここにおいて、前記第２のＤＵは、復号順序において、前記第１のＤＵの後であり、前記第１のＤＵと同じＡＵ中にある、
前記第１のＤＵのＣＰＢ除去時間と前記第２のＤＵの前記決定されたＣＰＢ除去時間との間の持続時間を決定し、
前記決定された持続時間を符号化するように構成され、
前記第２のＤＵは、復号順序において、前記ＡＵ中の前記第１のＤＵの直後であるビデオ符号化デバイス。
【請求項３４】
前記ビデオエンコーダは、前記決定された持続時間を符号化することの一部として、前記ビデオエンコーダが前記決定された持続時間を、１つまたは複数のサブピクチャレベルＣＰＢパラメータとして符号化するように構成される、請求項３３に記載のビデオ符号化デバイス。
【請求項３５】
前記ビデオエンコーダは、前記第１のＤＵに関連付けられたサブピクチャタイミングサプルメンタルエンハンスメント情報（ＳＥＩ）メッセージを符号化することによって、１つまたは複数のサブピクチャレベルＣＰＢパラメータを符号化するようにさらに構成される、請求項３４に記載のビデオ符号化デバイス。
【請求項３６】
前記ビデオエンコーダは、ピクチャタイミングＳＥＩメッセージ中またはサブピクチャタイミングＳＥＩメッセージ中のどちらかでの前記１つまたは複数のサブピクチャレベルＣＰＢパラメータの存在を示すためのシーケンスレベルフラグを符号化するようにさらに構成される、請求項３４に記載のビデオ符号化デバイス。
【請求項３７】
前記ＡＵは、０以下のＴｅｍｐｏｒａｌＩｄを有し、前記ビデオエンコーダは、前記ＡＵに関連付けられた、バッファリング期間サプルメンタルエンハンスメント情報（ＳＥＩ）メッセージまたはリカバリポイントＳＥＩメッセージのうち少なくとも１つを符号化するようにさらに構成される、請求項３３に記載のビデオ符号化デバイス。
【請求項３８】
前記第１のＤＵは、ＲＳＶ＿ＮＶＣＬ４４〜ＲＳＶ＿ＮＶＣＬ４７の範囲内またはＵＮＳＰＥＣ４８〜ＵＮＳＰＥＣ６３の範囲内の、ＵＮＳＰＥＣ０に等しいｎａｌ＿ｕｎｉｔ＿ｔｙｐｅ、ＥＯＳ＿ＮＵＴ、ＥＯＢ＿ＮＵＴをもつ非ビデオコーディングレイヤ（ＶＣＬ）ネットワークアブストラクションレイヤ（ＮＡＬ）ユニットを備える、請求項３３に記載のビデオ符号化デバイス。
【請求項３９】
前記ビデオエンコーダは、前記第１のＤＵが前記ＡＵであるかどうかを定義するシンタックス要素の値にかかわらず、アクセスユニットレベルとサブピクチャレベルの両方で、前記ＡＵについてのＣＰＢ到着時間およびＣＰＢ名目除去時間のうち少なくとも１つを導出するようにさらに構成される、請求項３３に記載のビデオ符号化デバイス。
【請求項４０】
前記ビデオエンコーダは、前記決定された持続時間を符号化することの一部として、前記ビデオエンコーダが前記決定された持続時間を、１つまたは複数のピクチャレベルＣＰＢパラメータとして符号化するように構成される、請求項３３に記載のビデオ符号化デバイス。
【請求項４１】
前記ビデオエンコーダは、前記第１のＤＵに関連付けられたピクチャタイミングサプルメンタルエンハンスメント情報（ＳＥＩ）メッセージを符号化することによって、１つまたは複数のサブピクチャレベルＣＰＢパラメータを符号化するようにさらに構成される、請求項３３に記載のビデオ符号化デバイス。
【請求項４２】
命令を記憶した非一時的コンピュータ可読記憶媒体であって、前記命令は、実行されると、ビデオデータを符号化するためのデバイスのプロセッサに、
第１の復号ユニット（ＤＵ）を含むアクセスユニット（ＡＵ）について、第２のＤＵのコード化ピクチャバッファ（ＣＰＢ）除去時間を決定させ、ここにおいて、前記第２のＤＵは、復号順序において、前記第１のＤＵの後であり、前記第１のＤＵと同じＡＵ中にある、
前記第１のＤＵのＣＰＢ除去時間と前記第２のＤＵの前記決定されたＣＰＢ除去時間との間の持続時間を決定させ、
前記決定された持続時間を符号化させ、
前記第２のＤＵは、復号順序において、前記ＡＵ中の前記第１のＤＵの直後である非一時的コンピュータ可読記憶媒体。
【請求項４３】
前記プロセッサに、前記決定された持続時間を符号化させることの一部として、前記命令は、前記プロセッサに、前記決定された持続時間を、１つまたは複数のサブピクチャレベルＣＰＢパラメータとして符号化させる、請求項４２に記載の非一時的コンピュータ可読記憶媒体。
【請求項４４】
前記プロセッサに、前記決定された持続時間を符号化させることの一部として、前記命令は、前記プロセッサに、前記決定された持続時間を、１つまたは複数のピクチャレベルＣＰＢパラメータとして符号化させる、請求項４２に記載の非一時的コンピュータ可読記憶媒体。
【請求項４５】
前記デバイスは、集積回路、マイクロプロセッサ、またはワイヤレス通信デバイス、のうち少なくとも１つを備える、請求項１０に記載のビデオ復号デバイス。
【請求項４６】
復号ビデオデータを表示するように構成されたディスプレイをさらに備える、請求項１０に記載のビデオ復号デバイス。
【請求項４７】
ビデオデータをキャプチャするように構成されたカメラをさらに備える、請求項３３に記載のビデオ符号化デバイス。
【請求項４８】
前記デバイスは、集積回路、マイクロプロセッサ、またはワイヤレス通信デバイス、のうち少なくとも１つを備える、請求項３３に記載のビデオ符号化デバイス。